(57)【要約】  【課題】同一基板上に金属からなるブラックマトリクスと薄膜トランジスタを形成しながらも特性の向上を図ることができる液晶表示装置とその製造方法を提供する。  【解決手段】第１の基板１１と第２の基板１２とが液晶層１３を介して互いに対向し、表示面側に配置される第１の基板１３の表面上に、金属からなるブラックマトリクス１４と、層間膜Ｍと、層間膜Ｍによりブラックマトリクス１４から分離された薄膜トランジスタＴと、薄膜トランジスタＴに接続された表示電極２５とが積層され、層間膜Ｍは、有機絶縁膜１５と無機絶縁膜１６が積層されたものからなっている。【選択図】  図１
2017116836.tif 000002
【特許請求の範囲】
【請求項１】
第１の基板と第２の基板とが液晶層を介して互いに対向し、表示面側に配置される前記第１の基板の前記液晶層側の表面上に、金属からなるブラックマトリクスと、層間膜と、前記層間膜により前記ブラックマトリクスから分離された薄膜トランジスタと、前記薄膜トランジスタに接続された表示電極とが積層され、複数の表示部がマトリクス状に配置された液晶表示装置であって、
前記層間膜は、有機絶縁膜と無機絶縁膜が積層されたものからなることを特徴とする液晶表示装置。
【請求項２】
前記層間膜は、前記薄膜トランジスタと接する側に前記無機絶縁膜を有する請求項１に記載の液晶表示装置。
【請求項３】
前記第１の基板側に配置されたカラーフィルタ層を有する請求項１または２に記載の液晶表示装置。
【請求項４】
前記第１の基板側に配置された平坦化層を有する請求項１〜３のいずれか一項に記載の液晶表示装置。
【請求項５】
前記第１の基板側に配置された共通電極を有する請求項１〜４のいずれか一項に記載の液晶表示装置。
【請求項６】
前記第１の基板側または前記第２の基板側に配置され、前記ブラックマトリクスから電気的に絶縁され且つ前記ブラックマトリクスと共にタッチセンサのセンサ電極を構成する対向電極を有する請求項１〜５のいずれか一項に記載の液晶表示装置。
【請求項７】
前記有機絶縁膜は、３．５以下の比誘電率を有する請求項１〜６のいずれか一項に記載の液晶表示装置。
【請求項８】
前記有機絶縁膜は、１μｍ以上４μｍ以下の膜厚を有する請求項１〜７のいずれか一項に記載の液晶表示装置。
【請求項９】
前記有機絶縁膜は、アクリル系樹脂、ポリイミド系樹脂、ポリベンゾオキサゾール系樹脂、ポリシロキサン系樹脂、脂環オレフィン系樹脂の少なくともいずれかを含む有機樹脂からなる請求項１〜８のいずれか一項に記載の液晶表示装置。
【請求項１０】
前記薄膜トランジスタは、低温成膜ポリシリコンからなる半導体層を有する請求項１〜９のいずれか一項に記載の液晶表示装置。
【請求項１１】
前記薄膜トランジスタは、酸化物半導体からなる半導体層を有する請求項１〜９のいずれか一項に記載の液晶表示装置。
【請求項１２】
前記液晶層は、水平配向型液晶が封入されたものである請求項１〜１１のいずれか一項に記載の液晶表示装置。
【請求項１３】
請求項１〜１２のいずれか一項に記載の液晶表示装置を製造する方法であって、
前記第１の基板の表面上に金属からなる前記ブラックマトリクスを形成し、
前記ブラックマトリクスを覆うように前記第１の基板の表面上に前記有機絶縁膜と前記無機絶縁膜が積層された前記層間膜を形成し、
前記層間膜の表面上に前記薄膜トランジスタと前記薄膜トランジスタに接続された前記表示電極を形成する
ことを特徴とする液晶表示装置の製造方法。
【請求項１４】
前記液晶層に水平配向型液晶を封入する請求項１３に記載の液晶表示装置の製造方法。
【請求項１５】
前記有機絶縁膜を３５０℃以上の焼成温度で形成する請求項１３または１４に記載の液晶表示装置の製造方法。
【発明の詳細な説明】
【技術分野】
【０００１】
この発明は、液晶表示装置およびその製造方法に係り、特に、表示面側に配置される第１の基板の表面上に金属からなるブラックマトリクスと層間膜と薄膜トランジスタと表示電極とが積層され、複数の表示部がマトリクス状に配置された液晶表示装置およびその製造方法に関する。
【背景技術】
【０００２】
液晶表示装置は、薄型、軽量および低消費電力を可能にするという利点を有するため、各種の電子機器に広く利用されている。
従来の液晶表示装置は、第１の基板と第２の基板とが液晶層を介して互いに対向し、表示面側に配置される第１の基板の表面上にブラックマトリクスとカラーフィルタ層が形成され、バックライト側に配置される第２の基板の表面上に薄膜トランジスタが形成され、これら第１の基板および第２の基板を２枚の偏光板で挟んだ液晶パネルを有している。この液晶パネルに薄膜トランジスタを駆動する駆動回路とバックライトを組み合わせることで液晶表示装置が構成されている。
【０００３】
近年、携帯型の電子機器が広く普及しているが、これらの電子機器においては、小型でありながら高精細の画面を実現するために、表示部（画素）サイズを縮小化する必要があり、カラーフィルタ層と薄膜トランジスタとの位置合わせ精度の向上が要求されている。
そこで、例えば、特許文献１には、表示面側に配置される第１の基板の表面上にブラックマトリクスを形成した後、さらに、薄膜トランジスタとカラーフィルタ層を連続形成する、いわゆる、ＣＯＡ（Color filter On Array）構造を有する液晶表示装置が開示されている。薄膜トランジスタとカラーフィルタ層を、例えば、フォトリソグラフィ法を用いて同一基板上に形成することで、これら両者間の位置合わせを高精度に行うことが可能となる。
【０００４】
特許文献１に開示された液晶表示装置においては、液晶駆動時に発生する電界および電気信号ノイズを遮蔽するために、ブラックマトリクスを光遮蔽性の導電膜から形成してブラックマトリクスにシールド効果を具備させ、ブラックマトリクスと薄膜トランジスタの間を絶縁層で電気的に絶縁している。特許文献１では、薄膜トランジスタの下層膜となる絶縁層と薄膜トランジスタを「公知の方法」により形成すると記載されているが、一般に、この種の薄膜トランジスタの下層膜となる絶縁層は、無機膜により形成されている。
【０００５】
また、特許文献２にも、表示面側に配置される第１の基板の表面上にブラックマトリクスと薄膜トランジスタが形成された液晶表示装置が開示されている。さらに、ブラックマトリクスが導電性を有する場合に、ブラックマトリクスと薄膜トランジスタの間に絶縁層を形成することが望ましく、絶縁層として、薄膜トランジスタの形成時に使用されるＳｉＮｘ 、ＳｉＯ2 、Ｔａ2Ｏ5、Ａｌ2Ｏ3等の無機膜の他、例えばポリイミド系樹脂膜等、種々の絶縁膜を用いることができると記載されている。
【先行技術文献】
【特許文献】
【０００６】
【特許文献１】特開２０１２−８８５９９号公報
【特許文献２】特開２０００−３０５１０８号公報
【発明の概要】
【発明が解決しようとする課題】
【０００７】
しかしながら、ブラックマトリクスと薄膜トランジスタの間を電気的に絶縁する絶縁層を無機膜から形成すると、一般に、無機膜は大きな比誘電率を有し、生産性の問題から膜厚を大きくすることが困難であるために、ブラックマトリクスと薄膜トランジスタの間に大きな容量が形成され、隣接する表示部の信号線間に寄生容量に起因したノイズが発生するという問題がある。
一方、ブラックマトリクスと薄膜トランジスタの間に配置される絶縁層をポリイミド系樹脂等の有機膜から形成すると、この有機膜の表面上に薄膜トランジスタの半導体を形成しなければならず、近年用いられるようになった低温成膜ポリシリコン、酸化物半導体等の高品質の半導体を高品位に結晶化させることが難しく、特性の優れた薄膜トランジスタの形成が困難になってしまう。
【０００８】
この発明は、このような従来の問題点を解消するためになされたもので、同一基板上に金属からなるブラックマトリクスと薄膜トランジスタを形成しながらも特性の向上を図ることができる液晶表示装置を提供することを目的とする。
また、この発明は、このような液晶表示装置の製造方法を提供することも目的としている。
【課題を解決するための手段】
【０００９】
この発明に係る液晶表示装置は、第１の基板と第２の基板とが液晶層を介して互いに対向し、表示面側に配置される第１の基板の液晶層側の表面上に、金属からなるブラックマトリクスと、層間膜と、層間膜によりブラックマトリクスから分離された薄膜トランジスタと、薄膜トランジスタに接続された表示電極とが積層され、複数の表示部がマトリクス状に配置された液晶表示装置であって、層間膜は、有機絶縁膜と無機絶縁膜が積層されたものからなっている。
【００１０】
層間膜は、薄膜トランジスタと接する側に無機絶縁膜を有することが好ましい。
好ましくは、第１の基板側に配置されたカラーフィルタ層を有している。
第１の基板側に配置された平坦化層を有することが好ましく、また、第１の基板側に配置された共通電極を有することが好ましい。
第１の基板側または第２の基板側に配置され、ブラックマトリクスから電気的に絶縁され且つブラックマトリクスと共にタッチセンサのセンサ電極を構成する対向電極を有することもできる。
【００１１】
有機絶縁膜は、３．５以下の比誘電率を有することが好ましく、また、有機絶縁膜は、１μｍ以上４μｍ以下の膜厚を有することが好ましい。
好ましくは、有機絶縁膜は、アクリル系樹脂、ポリイミド系樹脂、ポリベンゾオキサゾール系樹脂、ポリシロキサン系樹脂、脂環オレフィン系樹脂の少なくともいずれかを含む有機樹脂からなる。
薄膜トランジスタは、低温成膜ポリシリコンからなる半導体層、あるいは、酸化物半導体からなる半導体層を有することが好ましい。
好ましくは、液晶層は、水平配向型液晶が封入されたものである。
【００１２】
この発明に係る液晶表示装置の製造方法は、第１の基板の表面上に金属からなるブラックマトリクスを形成し、ブラックマトリクスを覆うように第１の基板の表面上に有機絶縁膜と無機絶縁膜が積層された層間膜を形成し、層間膜の表面上に薄膜トランジスタと薄膜トランジスタに接続された表示電極を形成する方法である。
【００１３】
液晶層に水平配向型液晶を封入することが好ましい。
また、有機絶縁膜を３５０℃以上の焼成温度で形成することが好ましい。
【発明の効果】
【００１４】
この発明によれば、ブラックマトリクスと薄膜トランジスタとを分離する層間膜が、有機絶縁膜と無機絶縁膜が積層されたものからなるので、同一基板上に金属からなるブラックマトリクスと薄膜トランジスタを形成しながらも特性の向上を図ることが可能となる。
【図面の簡単な説明】
【００１５】
【図１】この発明の実施の形態１に係る液晶表示装置の構造を示す部分断面図である。
【図２】実施の形態１に係る液晶表示装置の製造方法を示すフローチャートである。
【図３】実施の形態２に係る液晶表示装置の構造を示す部分断面図である。
【図４】実施の形態２の変形例に係る液晶表示装置の構造を示す部分断面図である。
【図５】実施の形態３に係る液晶表示装置の構造を示す部分断面図である。
【図６】実施の形態３の変形例に係る液晶表示装置の構造を示す部分断面図である。
【図７】実施の形態３の他の変形例に係る液晶表示装置の構造を示す部分断面図である。
【発明を実施するための形態】
【００１６】
以下、この発明の実施の形態を添付図面に基づいて説明する。
実施の形態１
図１に実施の形態１に係る液晶表示装置の構造を示す。この液晶表示装置は、フリンジ電界を用いる、いわゆる、フリンジフィールドスイッチング（ＦＦＳ）方式の液晶表示装置である。第１の基板１１と第２の基板１２が液晶層１３を介して対向配置されている。第１の基板１１および第２の基板１２のうち第１の基板１１が液晶表示装置の表示面側に位置するように配置される。
第１の基板１１の液晶層１３側の表面上には、金属からなるストライプ形状または格子形状のブラックマトリクス１４が形成され、ブラックマトリクス１４を覆うように第１の基板１１の表面上に有機絶縁膜１５が形成され、さらに、有機絶縁膜１５の表面上に無機絶縁膜１６が積層されている。これら有機絶縁膜１５および無機絶縁膜１６により層間膜Ｍが構成されている。
【００１７】
ブラックマトリクス１４の配置位置に重なるように無機絶縁膜１６の表面上に半導体層１７が形成され、半導体層１７を覆うように無機絶縁膜１６の表面上にゲート絶縁膜１８が形成され、ゲート絶縁膜１８を介して半導体層１７に対向するようにゲート絶縁膜１８の上にゲート電極１９が形成され、ゲート電極１９を覆うようにゲート絶縁膜１８の表面上に絶縁膜２０が形成されている。また、半導体層１７の表面に接触するようにドレイン電極２１が形成されると共にこのドレイン電極２１がゲート絶縁膜１８および絶縁膜２０を貫通して絶縁膜２０の表面上に延びている。また、図１には示されていないが、ソース電極が半導体層１７の表面に接触するように形成されており、半導体層１７、ゲート電極１９、ドレイン電極２１およびソース電極により薄膜トランジスタＴが構成されている。
【００１８】
ドレイン電極２１を覆うように絶縁膜２０の表面上に平坦化膜２２が形成され、平坦化膜２２の表面上に共通電極２３が形成されている。さらに、共通電極２３を覆うように平坦化膜２２の表面上に絶縁膜２４が形成され、絶縁膜２４の表面上に表示電極２５が形成されている。表示電極２５は、絶縁膜２０の表面上に延びるドレイン電極２１に接続されると共に、絶縁膜２４の表面上において櫛歯形状を有し、液晶層１３に面している。
【００１９】
一方、第１の基板１１に対向する第２の基板１２の液晶層１３側の表面上には、それぞれの表示部（画素）に対応してカラーフィルタ層２６、２７が形成されると共に、第２の基板１２の全面にわたってカラーフィルタ層２６、２７の表面上にオーバーコート層２８が形成されている。
【００２０】
そして、カラーフィルタ層２６、２７の境界部分の位置がブラックマトリクス１４の配置位置に重なるように第１の基板１１と第２の基板１２が位置合わせされた状態で、スペーサ２９を挟んで第１の基板１１と第２の基板１２が互いに貼り合わされている。第１の基板１１側の絶縁膜２４および表示電極２５の表面が、スペーサ２９を介して第２の基板１２側のオーバーコート層２８の表面に対向し、これらの間に液晶層１３が形成されている。この液晶層１３には、電圧無印加状態で、液晶分子が第１の基板１１および第２の基板１２の表面にほぼ平行に配向する水平配向型液晶が封入されている。
さらに、液晶層１３とは反対方向を向いた第１の基板１１の面上および第２の基板１２の面上に、それぞれ、第１の偏光板Ｐ１および第２の偏光板Ｐ２が配置されている。
【００２１】
なお、第１の基板１１および第２の基板１２としては、例えば、ガラスまたは樹脂からなる透明基板を用いることができる。
ブラックマトリクス１４は、透過光に対して液晶表示装置の複数の表示部の間を仕切るためのもので、遮光性を有する金属材料から形成されている。図示しないバックライトからの照明光がブラックマトリクス１４の層間膜Ｍ側の表面で反射して液晶表示装置内で反射を繰り返した後に表示面側に出射することを抑制するために、ブラックマトリクス１４の表面、特に、層間膜Ｍ側の表面の反射率は、低いことが望ましい。例えば、ブラックマトリクス１４の表面に金属酸化膜を形成することで、反射率を低下させることができる。
【００２２】
ブラックマトリクス１４を金属材料から形成することにより、液晶表示装置の表示面側にタッチパネルを配置した場合であっても、ブラックマトリクス１４が電磁シールドとして作用し、液晶表示装置の液晶駆動時に発生する電界および電気信号ノイズがタッチパネルの動作に影響を及ぼすことが抑制される。
また、ブラックマトリクス１４の形成材料を金属とすることで、高精細高精度のブラックマトリクス１４を実現することができる。
ブラックマトリクス１４は、金属と高屈折率膜の組み合わせにより形成することができ、材料としては、例えば、クロム（Ｃｒ）、ニッケル（Ｎｉ）、タングステン（Ｗ）、モリブデン（Ｍｏ）、チタン（Ｔｉ）、タンタル（Ｔａ）、マグネシウム（Ｍｇ）およびそれらの合金および酸化物を用いることができる。
【００２３】
層間膜Ｍを構成する有機絶縁膜１５は、３．５以下の比誘電率を有し、且つ、１μｍ以上４μｍ以下の膜厚を有することが望ましい。このような有機絶縁膜１５を有する層間膜Ｍをブラックマトリクス１４と薄膜トランジスタＴの間に介在させることにより、薄膜トランジスタＴは、金属からなるブラックマトリクス１４から電気的に十分に分離され、隣接する表示部の信号線間に寄生容量に起因したノイズが発生することを防止することができる。
【００２４】
また、有機絶縁膜１５に積層される無機絶縁膜１６の表面上に薄膜トランジスタＴの半導体層１７が配置されるので、半導体層１７の形成時に無機絶縁膜１６を通して有機絶縁膜１５に熱が伝わり、有機絶縁膜１５が高温状態になる。このため、有機絶縁膜１５は、半導体層１７の形成温度に対して耐熱性を有することが望ましく、例えば、３５０℃以上の焼成温度で形成されるものであることが好ましい。
有機絶縁膜１５の形成材料としては、例えば、アクリル系樹脂、ポリイミド系樹脂、ポリベンゾオキサゾール系樹脂、ポリシロキサン系樹脂、脂環オレフィン系樹脂の少なくともいずれかを含む有機樹脂を用いることができる。
【００２５】
層間膜Ｍの無機絶縁膜１６は、薄膜トランジスタＴの下層膜となるもので、例えば、
窒化珪素（ＳｉＮｘ）、酸化珪素（ＳｉＯ2）、酸窒化珪素（ＳｉＯＮｘ）、酸化タンタル（Ｔａ2Ｏ5）、酸化アルミニウム（Ａｌ2Ｏ3）等から形成される。層間膜Ｍが、薄膜トランジスタＴと接する側に無機絶縁膜１６を有することで、半導体層１７の結晶化を良好に行うことができる。
【００２６】
薄膜トランジスタＴの半導体層１７の形成材料としては、低温による結晶化が可能で且つ高速駆動に適した低温成膜ポリシリコン（ＬＴＰＳ、Low Temperature Poly Silicon）が好ましいが、これに限定されるものではなく、Ｉｎ-Ｓｎ-Ｚｎ-Ｏ、Ｉｎ-Ｇａ-Ｚｎ-Ｏ、Ｚｎ-Ｏ、Ｉｎ-Ｚｎ-Ｏ等の酸化物半導体を用いることもできる。
ゲート電極１９、ドレイン電極２１および図示しないソース電極の形成材料としては、アルミニウム、銅等の金属、およびそれらの合金、並びに積層体を用いることができる。酸化インジウムスズ（ＩＴＯ）、酸化亜鉛アルミニウム（ＡＺＯ）、酸化インジウム亜鉛（ＩＺＯ）等の透明な導電材料を用いてもよい。また、低温成膜ポリシリコンを用いてもよい。
【００２７】
ゲート絶縁膜１８、絶縁膜２０および２４は、例えば、窒化珪素（ＳｉＮｘ）、酸化珪素（ＳｉＯ2） 、酸化タンタル（Ｔａ2Ｏ5）、酸化アルミニウム（Ａｌ2Ｏ3）等から形成することができる。
平坦化膜２２は、薄膜トランジスタＴの形成により生じる凹凸を緩和して平坦化するためのものであり、平坦化膜２２の形成材料として、例えば、アクリル樹脂、エポキシ樹脂、スチレン樹脂、ノボラック樹脂、シロキサン樹脂、ポリイミド樹脂等の公知の絶縁材料を用いることができる。また、これらのうちいずれかの樹脂にラジカル重合性モノマーとラジカル開始剤とを混合した材料、あるいは、いずれかの樹脂にカチオン重合性モノマーとカチオン開始剤とを混合することで硬化性組成物とした材料を用いることもできる。さらに、ラジカル重合性モノマーまたはカチオン重合性モノマーと開始剤との混合組成物を使用することも可能である。
【００２８】
共通電極２３および表示電極２５の形成材料としては、例えば、酸化インジウムスズ（ＩＴＯ）、酸化亜鉛アルミニウム（ＡＺＯ）、酸化インジウム亜鉛（ＩＺＯ）等の透明な導電材料を用いることが望ましい。
【００２９】
このような構成を有する実施の形態１の液晶表示装置は、図２のフローチャートに示される方法に従って製造することができる。
まず、ステップＳ１で、フォトリソグラフィ法等を用いて、第１の基板１１の表面上に金属からなるブラックマトリクス１４を形成する。次に、ステップＳ２で、ブラックマトリクス１４を覆うように第１の基板１１の表面上に有機絶縁膜１５を形成する。このとき、有機絶縁膜１５は、例えば、３５０℃以上の焼成温度で形成される。さらに、ステップＳ３で、スパッタ法等により有機絶縁膜１５の表面上に無機絶縁膜１６を形成する。これにより、有機絶縁膜１５と無機絶縁膜１６とが積層された層間膜Ｍが形成される。
【００３０】
次に、ステップＳ４で、ブラックマトリクス１４の配置位置に合わせて層間膜Ｍの上に薄膜トランジスタＴを形成する。薄膜トランジスタＴを形成するには、まず、無機絶縁膜１６の表面上に、例えば、アモルファスシリコンを成膜した後、微量イオンをドープ、脱水素処理とレーザアニール処理により結晶化した後、所定の形状にパターニングして半導体層１７を形成する。そして、半導体層１７を覆うように無機絶縁膜１６の表面上にゲート絶縁膜１８を形成し、ゲート絶縁膜１８の上にゲート電極１９を形成する。ゲート電極１９をマスクとして、図示しないＬＤＤ（Lightly Doped Drain）領域を形成するためのイオンドーピング処理を行い、ゲート電極１９を覆うようにゲート絶縁膜１８の表面上に絶縁膜２０を成膜し、絶縁膜２０にコンタクトホールを形成した後、半導体層１７に接触すると共に絶縁膜２０の表面上に延びるドレイン電極２１を形成する。さらに、半導体層１７の表面に接触するように図示しないソース電極を形成することで薄膜トランジスタＴが形成される。
このような薄膜トランジスタＴは、例えば、フォトリソグラフィ法を用いて形成することができる。フォトリソグラフィ材料にはネガ型およびポジ型があるが、いずれの材料も好適に用いることが可能である。
【００３１】
その後、ステップＳ５で、ドレイン電極２１を覆うように絶縁膜２０の表面上に平坦化膜２２を形成し、平坦化膜２２の表面上に共通電極２３を形成し、共通電極２３を覆うように平坦化膜２２の表面上に絶縁膜２４を形成し、ドレイン電極２１の表面に接触すると共に絶縁膜２４の表面上で櫛歯状に延びる表示電極２５を形成する。
共通電極２３および表示電極２５は、酸化インジウムスズ（ＩＴＯ）等の透明な導電材料をスパッタ法等により形成した後、エッチングを施すことで形成することができる。
【００３２】
別途、公知の方法により、第２の基板１２の表面上に、カラーフィルタ層２６および２７を形成し、さらに、第２の基板１２の全面にわたってカラーフィルタ層２６および２７の表面上にオーバーコート層２３を形成する。
そして、ステップＳ６で、第１の基板１１と第２の基板１２に図示しない配向膜を設け、配向処理を行い、第１の基板１１側の絶縁膜２４および表示電極２５の表面と第２の基板１２側のオーバーコート層２８の表面が互いに対向すると共に、第２の基板１２側のカラーフィルタ層２６、２７の境界部分の位置が第１の基板１１側のブラックマトリクス１４の配置位置に重なるように第１の基板１１と第２の基板１２を配置し、スペーサ２９を挟んで第１の基板１１と第２の基板１２を互いに貼り合わせる。
【００３３】
さらに、ステップＳ７で、第１の基板１１と第２の基板１２の間に水平配向型液晶を封入し、第１の基板１１と第２の基板１２の互いに外方を向いた表面上にそれぞれ第１の偏光板Ｐ１および第２の偏光板Ｐ２を接合することで、実施の形態１に係る液晶表示装置が製造される。
【００３４】
液晶表示装置の動作時には、それぞれの表示部（画素）において、共通電極２３に共通の一定電位が印加されると共に図示しないソース電極に画像信号が供給され、ゲート電極１９に電圧を印加して薄膜トランジスタＴをオン状態にすると、ソース電極がドレイン電極２１を介して表示電極２５に接続され、表示電極２５に画像信号が供給される。これにより、櫛歯形状の表示電極２５と共通電極２３との間に電界が生成され、液晶層１３の液晶分子が、第１の基板１１および第２の基板１２と平行な面内で回転駆動される。その結果、それぞれの表示部内の液晶層１３が対応する画像信号に応じた透過率を有することとなる。
【００３５】
有機絶縁膜１５を有する層間膜Ｍがブラックマトリクス１４と薄膜トランジスタＴの間に配置されているので、ブラックマトリクス１４が金属から形成されていても、薄膜トランジスタＴをブラックマトリクス１４から電気的に十分に分離することができ、隣接する表示部の信号線間に寄生容量に起因したノイズが発生することを防止することが可能となる。
また、層間膜Ｍが、薄膜トランジスタＴと接する側に無機絶縁膜１６を有するので、無機絶縁膜１６の表面上に半導体を良好に結晶化させて半導体層１７を形成することができる。
【００３６】
実施の形態２
図３に実施の形態２に係る液晶表示装置の構造を示す。この液晶表示装置は、図１に示した実施の形態１の液晶表示装置において、カラーフィルタ層２６および２７とオーバーコート層２８を第２の基板１２側に配置する代わりに、第１の基板１１側にカラーフィルタ層２６および２７を配置したものである。
第１の基板１１側において、絶縁膜２０の表面上にカラーフィルタ層２６および２７が形成され、カラーフィルタ層２６および２７の表面上に平坦化膜２２が形成されている。これにより、第１の基板１１側に、薄膜トランジスタＴとカラーフィルタ層２６および２７を連続形成する、いわゆる、ＣＯＡ（Color filter On Array）構造が形成されている。
【００３７】
このようなＣＯＡ構造を採用することにより、薄膜トランジスタＴとカラーフィルタ層２６および２７を、例えば、フォトリソグラフィ法を用いて連続的に形成することができ、薄膜トランジスタＴとカラーフィルタ層２６および２７の間の位置合わせ精度が向上する。その結果、微細化された表示部を有する液晶表示装置を実現することが可能となる。
第２の基板１２側にカラーフィルタ層２６および２７が存在しないことから、貼り合わせ時に第１の基板１１と第２の基板１２の間に高精度の位置合わせ精度を要求する必要がなくなる。
【００３８】
図３に示した実施の形態２に係る液晶表示装置では、平坦化膜２２の表面上に共通電極２３が配置され、共通電極２３を覆うように平坦化膜２２の表面上に形成された絶縁膜２４の表面上に表示電極２５が配置されているが、図４に示されるように、薄膜トランジスタＴのドレイン電極２１およびカラーフィルタ層２６，２７を覆うように表示電極３０を形成し、表示電極３０の上に平坦化膜３１を形成して、平坦化膜３１の表面上に櫛歯形状の共通電極３２を形成することもできる。
【００３９】
平坦化膜３１は、表示電極３０と共通電極３２の間に介在する絶縁膜を兼ねているので、表示電極３０と共通電極３２の間に容量を形成するために、高い比誘電率を有する絶縁性の材料から形成されることが望ましい。平坦化膜３１の形成材料として、例えば、公知の高誘電率材料を微粒子化して、アクリル樹脂、エポキシ樹脂、スチレン樹脂、ノボラック樹脂、シロキサン樹脂、ポリイミド樹脂等の公知の絶縁材料に分散したものを用いることができる。絶縁材料としては、上記の樹脂のうちいずれかの樹脂にラジカル重合性モノマーとラジカル開始剤とを混合した材料、あるいは、いずれかの樹脂にカチオン重合性モノマーとカチオン開始剤とを混合することで硬化性組成物とした材料を用いることもできる。さらに、ラジカル重合性モノマーまたはカチオン重合性モノマーと開始剤との混合組成物を使用することも可能である。
また、微粒子化する高誘電率材料としては、金属、金属酸化物、有機金属化合物等を挙げることができ、例えば、銀微粒子を分散した絶縁材料の使用が好ましい。
図４に示した液晶表示装置は、図３の液晶表示装置に比べて、平坦化膜２２および絶縁膜２４の２層構造を１層の平坦化膜３１のみで構成しているので、製造工程の簡素化を図ることができる。
【００４０】
実施の形態３
図５に実施の形態３に係る液晶表示装置の構造を示す。この液晶表示装置は、図１に示した実施の形態１の液晶表示装置において、第１の基板１１の液晶層１３とは反対側の表面上、すなわち、第１の基板１１と第１の偏光板Ｐ１の間に形成された対向電極３３を有するものである。対向電極３３は、導電性材料から形成されると共にブラックマトリクス１４から電気的に絶縁されており、金属からなるブラックマトリクス１４と共にタッチセンサのセンサ電極を構成している。
例えば、ブラックマトリクス１４を所定の方向に延びるストライプ形状に形成し、対向電極３３をブラックマトリクス１４に対して直交する方向に延びるストライプ形状に形成することで、第１の基板１１の全面にわたって第１の基板１１を挟んで格子状に配列された静電容量式タッチセンサのセンサ電極を形成することができる。なお、対向電極３３は、ブラックマトリクス１４に対して直交する方向に限らず、交差する方向に延びていてもよく、また、ブラックマトリクス１４および対向電極３３はストライプ形状に限るものではない。
【００４１】
対向電極３３は、例えば、酸化インジウムスズ（ＩＴＯ）、酸化亜鉛アルミニウム（ＡＺＯ）、酸化インジウム亜鉛（ＩＺＯ）等の透明な導電材料を用いて形成することができ、あるいは、特開２０１３−１４９２３６号公報に開示されているような金属細線を用いて形成することもできる。
このような対向電極３３を形成して、ブラックマトリクス１４および対向電極３３でセンサ電極を構成することにより、タッチセンサ機能を備えた液晶表示装置を実現することが可能となる。液晶表示装置とタッチパネルをそれぞれ独立して形成し、液晶表示装置の表示面上にタッチパネルを配置する場合に比べて、薄型のタッチセンサ機能付き液晶表示装置を構成することができる。
【００４２】
対向電極３３を第１の基板１１の液晶層１３とは反対側の表面上に配置する代わりに、図６に示されるように、第１の基板１１側の共通電極２３の表面上に金属または酸化インジウムスズ（ＩＴＯ）、酸化亜鉛アルミニウム（ＡＺＯ）、酸化インジウム亜鉛（ＩＺＯ）等の透明な導電材料からなる対向電極３４を形成し、ブラックマトリクス１４と対向電極３４によりタッチセンサのセンサ電極を構成することもできる。また、対向電極３４を絶縁膜２０と平坦化膜２２の間に形成することも可能である。
対向電極３４は、第１の基板１１側に限らず、図７に示されるように、第２の基板１２側に配置することもできる。図７の液晶表示装置では、第２の基板１２の液晶層１３側の表面上で且つカラーフィルタ２６および２７の境界部分に対応する位置に対向電極３４が形成されている。このような対向電極３４とブラックマトリクス１４によってもタッチセンサのセンサ電極を構成することが可能となる。
【００４３】
その他の実施の形態としては、上記の実施の形態１および２において、ゲート電極、ソース電極、ドレイン電極、および共通電極のうち少なくとも１つを、タッチセンサのセンサ電極を兼ねるように構成することもできる。また、上記の実施の形態３において、ゲート電極、ソース電極、ドレイン電極、および共通電極のうち少なくとも１つを、対向電極３４を兼ねるように形成し、金属からなるブラックマトリクス１４と共にタッチセンサのセンサ電極を構成することもできる。
さらに、対向電極３４を設けずに、図１に示した実施の形態１の構成において、ブラックマトリクス１４によりシングルレイヤータッチセンサ電極を構成することもできる。
【００４４】
なお、上記の実施の形態１〜３では、フリンジフィールドスイッチング（ＦＦＳ）方式の液晶表示装置について説明したが、この発明は、第１の基板側にブラックマトリクスと薄膜トランジスタと表示電極が配置された各種の液晶表示装置に適用することができる。
【符号の説明】
【００４５】
１１  第１の基板、１２  第２の基板、１３  液晶層、１４  ブラックマトリクス、１５  有機絶縁膜、１６  無機絶縁膜、１７  半導体層、１８  ゲート絶縁膜、１９  ゲート電極、２０，２４  絶縁膜、２１  ドレイン電極、２２，３１  平坦化膜、２３，３２  共通電極、２５，３０  表示電極、２６，２７  カラーフィルタ層、２８  オーバーコート層、２９  スペーサ、３３，３４  対向電極、Ｍ  層間膜、Ｔ  薄膜トランジスタ、Ｐ１  第１の偏光板、Ｐ２  第２の偏光板。
【図１】
2017116836.tif 000003
【図２】
2017116836.tif 000004
【図３】
2017116836.tif 000005
【図４】
2017116836.tif 000006
【図５】
2017116836.tif 000007
【図６】
2017116836.tif 000008
【図７】
2017116836.tif 000009